(57)【特許請求の範囲】
【請求項１】
使用電力量を計測して電力量表示部に表示する電力量計測部と、時刻表示を行う時刻表示部と、外部から入力される時刻設定情報に応じて前記時刻表示部の表示時刻を設定する時刻設定部とを少なくとも備えた電力量計への時刻設定装置であって、
前記電力量計に作動電力を供給する電力供給部と、
前記電力量計に形成した所定通信方式の情報送受信端子と、
該情報送受信端子に前記時刻設定情報を有線送信する時刻設定処理装置とを備え、
前記時刻設定処理装置は、外部の時刻情報源から現在時刻情報を取込み、取込んだ現在時刻情報を含む時刻設定情報を生成する時刻設定情報生成部と、生成された前記時刻設定情報を出力する情報出力部と、該情報出力部及び前記情報送受信端子間に接続される少なくとも前記情報出力部から出力される時刻設定情報を前記情報送受信端子で受信可能な通信方式の情報に変換する情報変換部と
を備えたことを特徴とする電力量計への時刻設定装置。
【請求項２】
前記時刻設定処理装置の情報出力部はＵＳＢポートで構成され、該ＵＳＢポートを介して前記通信情報変換部に電力を供給するように構成されていることを特徴とする請求項１に記載の電力量計への時刻設定装置。
【請求項３】
前記時刻設定処理装置は、表示装置を有する情報処理端末で構成されていることを特徴とする請求項１又は２に記載の電力量計への時刻設定装置。
【請求項４】
前記通信情報変換部は、前記情報送受信端子に電気的に弾性接触するプローブを備えていることを特徴とする請求項１乃至３の何れか１項に記載の電力量計への時刻設定装置。
【請求項５】
前記時刻情報源は携帯電話機の基地局であり、前記時刻設定処理装置は前記基地局との間で無線通信によって現在時刻情報を取込む通信カードを有することを特徴とする請求項１乃至４の何れか１項に記載の電力量計への時刻設定装置。
【請求項６】
前記時刻設定情報生成部は、前記時刻情報源から取込んだ現在時刻情報で、内蔵時計部の現在時刻を修正するとともに、現在時刻情報を含む時刻設定情報を生成するように構成されていることを特徴とする請求項１乃至５の何れか１項に記載の電力量計への時刻設定装置。
【請求項７】
前記時刻設定処理装置は、電力量計の時刻設定完了時に、少なくとも設定した時刻と電力量計の固有の識別情報とで構成される時刻設定履歴情報を記憶する履歴情報記憶部を備えていることを特徴とする請求項１乃至６の何れか１項に記載の電力量計への時刻設定装置。
【発明の詳細な説明】
【技術分野】
【０００１】
本発明は、時刻設定を行うようにした電力量計への時刻設定装置に関する。
【背景技術】
【０００２】
一般に、電子式の電力量計は、停電状態が所定時間（例えば２４０時間）以上継続すると、内蔵する停電動作用電池の消費電流を抑えるために、電力消費の大きい液晶表示を消灯し、且つ電力量計の内部の時計を止めて、初期値（例えば２００５年０１月０１日００時００分００秒）に設定するようにしている。このため、電力量計を所定時間以上倉庫等に保管した後で使用する場合、電力量計に標準時刻を再設定する必要がある。
【０００３】
多くの電力量計は、電力量計の時刻と電力量計が記憶する計量パターンとを比較して時間帯別に電力量を計量しており、夏場の昼等、電力需要が多い時間帯の電力量単価は高く、需要が低い深夜の単価は低く設定されている。
このため、所定時間（２４０時間）を超えて保管され、時計が止まった電力量計に再度、時刻設定を行う際には正確さが必要であり、時刻の誤設定及び設定忘れを防止するためにも、設定には複数の作業者が必要である。
【０００４】
このような電力量計の標準時刻を設定する時刻設定装置として、例えば使用電力量を計測する電力量計測部及び時計部を有する電力量計と、この電力量計と通信手段を介して接続された非接触型ＩＣカード読取・書込装置と、この非接触型ＩＣカード読取・書込装置との間でデータを送受信する非接触型ＩＣカードを搭載した携帯端末とを備え、携帯端末から時刻データを非接触型ＩＣカード読取・書込装置へ送信することにより、電力量計の表示時刻を修正するようにした電力量自動検針装置及び自動検針システムが知られている（例えば、特許文献１参照）。
【先行技術文献】
【特許文献】
【０００５】
【特許文献１】特開２００９−３２０１２号公報
【発明の概要】
【発明が解決しようとする課題】
【０００６】
しかしながら、上記特許文献１に記載された従来例にあっては、携帯端末から時刻データを非接触型ＩＣ読取・書込装置に送信することにより、電力量計の時計部の時刻を修正することができるものであるが、自動検針装置であるので、需要家に設置されて稼動状態となっている電力量計を対象としており、倉庫等に保管されていた未設置の電力量計については標準時刻の設定ができないという未解決の課題がある。
【０００７】
また、上記従来例にあっては、電力量計の他に非接触型ＩＣカード読取・書込装置を設置する必要があり、コストが嵩むとともに、電力量計と非接触型ＩＣカード読取・書込装置との間を通信手段で接続する必要があり、電力量計の設置工事も大がかりとなるという未解決の課題がある。
そこで、本発明は、上記従来例の未解決の課題に着目してなされたものであり、電力量計既存の通信装置を用い、未設置の電力量計に対して標準時刻の設定を容易に行うことができる電力量計への時刻設定装置を提供することを目的としている。
【課題を解決するための手段】
【０００８】
上記目的を達成するために、本発明の一の形態に係る電力量計への時刻設定装置は、使用電力量を計測して電力量表示部に表示する電力量計測部と、時刻表示を行う時刻表示部と、外部から入力される時刻設定情報に応じて前記時刻表示部の表示時刻を設定する時刻設定部とを少なくとも備えた電力量計への時刻設定装置であって、前記電力量計に作動電力を供給する電力供給部と、前記電力量計に形成した所定通信方式の情報送受信端子と、該情報送受信端子に前記時刻設定情報を有線送信する時刻設定処理装置とを備え、前記時刻設定処理装置は、外部の時刻情報源から現在時刻情報を取込み、取込んだ現在時刻情報を含む時刻設定情報を生成する時刻設定情報生成部と、生成された前記時刻設定情報を出力する情報出力部と、該情報出力部及び前記情報送受信端子間に接続される少なくとも前記情報出力部から出力される時刻設定情報を前記情報送受信端子で受信可能な通信方式の情報に変換する情報変換部とを備えている。
【０００９】
この構成によると、電力量計に形成した所定通信方式の情報送受信端子と時刻設定処理装置の情報出力部との間に情報変換部を接続するとともに、電力量計に電力供給部から電力を供給して作動状態とする。この状態で、時刻設定情報生成部で時刻情報源から現在時刻を取込み、この現在時刻を含む時刻設定情報を生成し、生成した時刻設定情報を情報出力部から情報変換部へ送り、この情報変換部で電力量計の情報送受信端子で受信可能な通信方式の情報に変換して情報送受信端子に有線送信する。これによって、電力量計の時計部の時刻を現在時刻に正確に設定することができる。
【００１０】
また、本発明の他の形態に係る電力量計への時刻設定装置は、前記時刻設定処理装置の情報出力部はＵＳＢ（Ｕｎｉｖｅｒｓａｌ Ｓｅｒｉａｌ Ｂｕｓ）ポートで構成され、該ＵＳＢポートに接続されたＵＳＢコードを介して前記通信情報変換部に電力を供給するように構成されている。
この構成によると、時刻設定情報がＵＳＢポートからＵＳＢコードを介して通信情報変換部に出力されるので、ＵＳＢコードの電力線を介して通信情報変換部に電力を供給することができ、通信情報変換部に電源を内蔵させる必要がない。
【００１１】
また、本発明の他の形態に係る電力量計への時刻設定装置は、前記時刻設定処理装置が、表示装置を有する情報処理端末で構成されている。
この構成によると、通常の情報処理端末を利用して時刻設定処理装置を構成することができ、専用の時刻設定処理装置を設ける必要がない。
また、本発明の他の形態に係る電力量計への時刻設定装置は、前記通信情報変換部が、前記情報送受信端子に電気的に弾性接触するプローブを備えている。
【００１２】
この構成によると、電力量計の情報送受信端子にプローブを接触させた状態で、時刻設定処理装置から時刻設定情報を、情報変換部を介して電力量計側に送信するだけで、電力量計の時計部の時刻設定を容易に行うことができる。
また、本発明の他の形態に係る電力量計への時刻設定装置は、前記時刻情報源が携帯電話機の基地局であり、前記時刻設定処理装置が前記基地局との間で無線通信によって現在時刻情報を取込む通信カードを有する。
【００１３】
この構成によれば、時刻設定処理装置に通信カードを装着するだけで、この通信カードを介して正確な現在時刻情報を容易に取込むことができる。
また、本発明の他の形態に係る電力量計への時刻設定装置は、前記時刻設定情報生成部が、前記時刻情報源から取込んだ現在時刻情報で、内蔵時計部の現在時刻を修正するとともに、現在時刻情報を含む時刻設定情報を生成するように構成されている。
【００１４】
この構成によると、時刻設定情報生成部で時計情報源から現在時刻を取込んだときに、内部時計部の現在時刻が修正されるので、時刻設定処理装置での現在時刻も正確に設定される。
また、本発明の他の形態に係る電力量計への時計設定装置は、前記時刻設定処理装置が、電力量計の時刻設定完了時に、少なくとも設定した時刻と電力量計の固有の識別情報とで構成される時刻設定履歴情報を記憶する履歴情報記憶部を備えている。
この構成によると、時刻設定処理装置で、電力量計の時刻設定を行ったときに、設定時刻と電力量計の固有の識別情報とで構成される時刻設定履歴情報が履歴情報記憶部に記憶されるので、電力量計の時刻設定の有無を容易に確認することができる。
【発明の効果】
【００１５】
本発明によれば、電力量計に特別な通信機器を設置することなく、未設置の電力量計における時計部の時刻設定を正確に且つ容易に行うことができるという効果が得られる。
また、時刻設定処理装置のＵＳＢポートを利用して時刻設定情報を電力量計に送信する場合には、複数のＵＳＢポートを利用して複数の電力量計における時計部の時刻設定を同時に行うことが可能となる。
【図面の簡単な説明】
【００１６】
【図１】本発明の第１の実施形態を示すシステム構成図である。
【図２】電力量計への電力供給状態を示す構成図である。
【図３】電力量計の構成を示すブロック図である。
【図４】電力量計の制御部で実行する電力計量処理手順の一例を示すフローチャートである。
【図５】情報処理端末の構成を示すブロック図である。
【図６】情報処理端末の制御部で実行する時刻設定処理手順の一例を示すフローチャートである。
【図７】情報処理端末の表示部で表示されるメニュー画面の一例を示す図である。
【図８】情報変換器の構成を示す回路図である。
【図９】設定用プローブを示す平面図である。
【図１０】通信処理手順を示す図である。
【図１１】本発明の第２の実施形態を示すシステム構成図である。
【図１２】第２の実施形態における情報変換器の構成を示す回路図である。
【発明を実施するための形態】
【００１７】
以下、本発明の実施の形態を図面に基づいて説明する。
図１は、本発明の第１の実施形態を示すシステム構成図である。図中、１は倉庫等で保管されている未設置の電力量計であって、この電力量計１の情報送受信端子ＤＴ，ＳＧに現在時刻を設定する時刻設定処理装置２が接続されている。
電力量計１は、図２に示すように、ケース本体１１の正面中央部に、電力量データ、時刻データ等の表示データをサイクリック等で表示する液晶表示器１２が設けられている。また、例えばケース本体１１の正面下端部に単相３線式の電源側配線部１Ｓ、２Ｓ、３Ｓと、単相３線式の負荷側配線部３Ｌ，２Ｌ，１Ｌと、カレントループ通信方式の信号を扱う情報送受信端子としての送受信端子ＤＴ．ＳＧと、手動設定用の設定ボタンＳＢ及び記憶ボタンＭＢとが配設されている。
【００１８】
そして、電力量計１には電力供給装置１３によって電力が供給される。この電力供給装置１３は、図２に示すように、電源切替器１４を有する。この電源切替器１４は、入力側がコード１４ｂを介してＡＣ１００Ｖの商用電源に接続されるコンセント１４ａに接続され、出力側にコネクタ１４ｃ及びコード１４ｄを介して電力量計１の電源側配線部に接続されるクリップ１４ｅ及び１４ｆが接続されている。
【００１９】
電源切替器１４は、図２に示すように、コード１４ｂに接続された電源スイッチ１５と、この電源スイッチ１５にヒューズ１６を介して接続された１００Ｖの商用電源を入力して、１００Ｖを出力する出力端子ｔ１及び２００Ｖに昇圧して出力する出力端子ｔ２を有するトランス１７と、出力端子ｔ１及びｔ２を選択する電源選択スイッチ１８とを有し、電源選択スイッチ１８の可動接点がコネクタ１４ｃに接続されている。そして、電源切替器１４では、例えば電源選択スイッチ１８で出力端子ｔ１を選択して１００Ｖを選択したときには、１００Ｖに対応する電圧表示１９ａを点灯させ、出力端子ｔ２を選択して２００Ｖを選択したときには２００Ｖに対応する電圧表示１９ｂを点灯させるとともに、ブザー１９ｃを駆動して警告音を発する。
【００２０】
電力量計１の電気的構成は、図３に示すように、電源側配線部１Ｓ，２Ｓ，３Ｓと負荷側配線部１Ｌ，２Ｌ，３Ｌとの間に接続された電力量を計測する計量回路２１と、内蔵電池２２が接続されて、各部に電源を供給する電源・停電検出回路２３と、水晶振動子２４が接続されて電力量計の全体を制御するＭＰＵ等の演算処理装置で構成される制御部２５とを備えている。
【００２１】
電源・停電検出回路２３では、電源側配線部に交流電力が入力されている通電状態では、内蔵する各部に所定の電源を供給するが、電源側配線部に供給されている交流電力が遮断される停電状態となると、内蔵電池２２によって内蔵する各部に対する所定の電源供給を継続する。
制御部２５は、通信インタフェース部２６を介して送受信端子ＤＴ及びＳＧに接続されているとともに、計量回路２１との間でデータの授受を行い、さらに表示データを液晶表示器１２に出力する。また、制御部２５には、手動の設定操作部となる設定ボタンＳＢ及び記憶ボタンＭＢが接続されている。さらに、制御部２５には、時間別電力量データ、時刻データ等のデータを記憶するデータ記憶部２７が接続されている。
【００２２】
そして、制御部２５では、電源・停電検出回路２３から内部電源が供給されている状態で、図４に示す電力計量処理を実行する。この電力計量処理は、先ず、制御部２５に電源が投入されると、ステップＳ１で、初期化処理が行われて必要な初期設定を行い、次いでステップＳ２に移行して、初期設定が行われてから又は前回の時計処理が行われてから１秒が経過したか否かを判定し、１秒が経過していないときには後述するステップＳ６に移行し、１秒が経過したときにはステップＳ３に移行し、時計処理を実行して計時カウンタを１だけカウントアップしてからステップＳ４に移行する。
【００２３】
このステップＳ４では、計時カウンタのカウント値が６０に達したか否かすなわち１分が経過したか否かを判定し、計時カウンタのカウント値が６０未満であるときにはそのまま後述するステップＳ６に移行して、計時カウンタのカウント値が６０に達したときには、ステップＳ５に移行して、内蔵時計の時刻を読込んで、予め設定された昼間時間帯であるか夜間時間帯であるかを判定する時間帯判定処理を行ってからステップＳ６に移行する。
【００２４】
このステップＳ６では、計量回路２１から電力量データを読込み、次いでステップＳ７に移行して、電力量データに応じた電力量パルスを生成し、次いでステップＳ８に移行して、電力量パルスの出力があったか否かを判定し、電力量パルスの出力があったときにはステップＳ９に移行して前述したステップＳ５で判定した時間帯についてデータ記憶部２７に形成された時間帯別電力量記憶領域に記憶されている時間帯別電力量に現在の電力量を加算する電力量加算処理を行ってからステップＳ１０に移行し、電力量パルスの出力がないときには直接ステップＳ１０に移行する。
【００２５】
ステップＳ１０では、設定ボタンＳＢ及び記憶ボタンＭＢが操作されてボタン入力があったか否かを判定し、ボタン入力がないときには後述するステップＳ１２に移行し、ボタン入力があったときには、入力されたボタン種別に応じたボタン入力処理を実行してからステップＳ１２に移行する。ここで、ボタン入力処理としては、例えば手動による時刻設定処理があり、設定ボタンＳＢを所定時間押圧すると、年度表示が点滅し、この点滅状態で、設定ボタンＳＢを押圧する毎に年度表示がインクリメントされ、次いで再度設定ボタンを所定時間押圧すると月表示が点滅し、この点滅状態で設定ボタンＳＢを押圧する毎に月表示がインクリメントされ、同様にして、日表示及び時間表示を設定するとともに、現在時刻より先の分表示を設定し、最後に現在時刻が設定した分表示の“００”秒となった時点で、記憶ボタンＭＢを押圧することにより、時計部の計時が開始される。
【００２６】
ステップＳ１２では、液晶表示処理を実行する。この液晶表示処理は、所定時間（例えば３０秒）毎に、電力量表示データと、電力量計毎に個別に設定された識別表示データ及び電力量計種別を表す種別表示データと、現在時刻表示データとを所定の順番で交互に液晶表示器１２に出力することにより、液晶表示を行う。
次いで、ステップＳ１３に移行して、電力量計１の電源側配線部に交流電力が供給されていない停電状態であるか否かを判定し、停電状態ではない通電状態では、ステップＳ１４に移行して、内蔵時計を電源周波数（５０Ｈｚ又は６０Ｈｚ）に同期させる時計同期処理を行ってからステップＳ１５に移行する。
【００２７】
このステップＳ１５では、通信インタフェース部２６にアクセスして情報送受信端子ＤＴ，ＳＧに通信指令電文を受信したか否かを判定し、通信指令電文を受信していないときには前記ステップＳ２に戻り、通信指令電文を受信したときにはステップＳ１６に移行して、通信電文に応じた通信電文処理を実行する。この通信電文処理としては、検針時の電力データ及び時刻データで構成される検針情報の送信要求電文である場合に、データ記憶部２７の時間帯別電力量記憶領域に記憶されている時間帯別電力量と現在時刻とを読込み、これらに自己の識別データを加えた検針応答用電文を生成する。また、通信電文が時刻設定電文であるときには、時刻設定電文を読込み、読込んだ時刻設定電文に含まれる時刻データを制御部２５の内蔵時計部２５ａに設定してから設定した現在時刻と自己の識別データとで構成される時刻設定完了応答電文を生成する。
【００２８】
次いで、ステップＳ１７に移行して、上記ステップＳ１６で生成された応答電文を、通信インタフェース部２６を介して情報送受信端子ＤＴ，ＳＧに出力する応答電文送信処理を行ってから前記ステップＳ２に戻る。
一方、前記ステップＳ１３の判定結果が、停電であるときにはステップＳ１８に移行し、内蔵時計部２５ａを水晶振動子２４の発振周波数に同期させる時計同期処理を行ってからステップＳ１９に移行する。
【００２９】
このステップＳ１９では、停電してから所定時間（例えば２４０時間）が経過したか否かを判定し、所定時間が経過していないときには前記ステップＳ２に戻り、所定時間が経過したときには、ステップＳ２０に移行する。
このステップＳ２０では、液晶表示器１２を消灯させるとともに、内蔵時計部２５ａを停止させて初期値（例えば２００５年０１月０１日００時００分００秒）にリセットする節電処理を実行し、次いでステップＳ２１に移行して、電力量計１の電源側配線部に所定電圧の交流電力が供給開始された節電解除時であるか否かを判定し、停電状態を継続する場合には、節電状態が解除されるまで待機し、停電状態から復旧して節電状態が解除されたときには前記ステップＳ２に戻る。
【００３０】
したがって、電力量計１が製造されてから倉庫に保管されて、電力量計１の電源側配線部に所定の交流電源が供給されていない状態で、所定時間（例えば２４０時間）が経過すると、制御部２５で実行する電力量制御処理によって、節電処理が行われて、内蔵時計部２５ａが初期値にリセットされた状態で、内蔵時計部２５ａの駆動が停止されるとともに、液晶表示器１２の駆動が停止されて内蔵電池２２の消耗を極力抑制する節電状態に設定される。
【００３１】
この節電状態で、需要家への設置が決定された場合には、需要家に設置した状態で、電力量計１の電源側配線部に所定電圧の交流電力を供給することにより、節電処理が解除されて図４の電力量制御処理でステップＳ２に戻って、電力量制御処理が再開されるが、この状態では、内蔵時計部２５ａが初期値（例えば２００５年０１月０１日００時００分００秒）にリセットされているので、現在時刻が確実に狂っており、正確な計時動作を行うことができない。
【００３２】
このため、図２に示すように、電力量計１の電源側配線部に、電力供給装置１３のクリップ１４ｅ及び１４ｆを接続し、次いで、コンセント１４ａを商用交流電源に差し込み、この状態で、電圧選択スイッチ１８で所定電圧を選択し、電源スイッチ１５をオン状態とすることにより、該当する出力電圧表示１９ａ又は１９ｂが点灯し、選択した電圧が２００Ｖであるときにはブザー１９ｃが作動されて警告音が発せられる。
【００３３】
この状態で、電力量計１に所定電圧の交流電力が供給され、交流電力の供給状態が、電源・停電検出回路２３で検出されるので、制御部２５の図４の電力量制御処理で、停電状態から通電状態への復帰による節電状態の解除と判断されてステップＳ２１からステップＳ２に戻り、ステップＳ２からステップＳ１７までの電力量制御処理が実行される。
この状態では、電力量制御処理が実行されることにより、電力量の計測が開始されるが、内蔵時計部２５ａは初期値にリセットされているので、初期値からの計時が開始され現在時刻とは大きく異なる時刻となっている。
このため、電力量計１の情報送受信端子ＤＴ，ＳＧに時刻設定処理装置２を接続して内蔵時計部２５ａを正確な現在時刻に設定する。
【００３４】
この時刻設定処理装置２は、図１に示すように、例えばノート型パーソナルコンピュータで構成される情報処理端末３１を有し、この情報処理端末３１に必要に応じて商用交流電源に接続した電源アダプタを介して直流電力を供給し、また情報処理端末３１のカードスロットに携帯電話基地局との通信を行う通信カード３２を装着する。さらに、情報処理端末３１の後述するＵＳＢポート４６にＵＳＢのＡプラグ３３を接続し、このＡプラグ３３にケーブル３４を介して接続されたＵＳＢのＢプラグ３５をＵＳＢ信号とカレントループ通信方式の信号とを相互に変換する情報変換器３６に接続し、この情報変換器３６の出力側を接続具３７で電力量計１の情報送受信端子ＤＴ，ＳＧに接続する。
【００３５】
時刻設定処理装置２の情報処理端末３１の具体的構成は、図５に示すように、ＣＰＵを含んで構成され内蔵時計部４１ａを有する制御部４１を有し、この制御部４１に所定のバスを介して入力部としてのキーボード４２、ＲＡＭ，ＲＯＭ等の内部記憶装置４３、ハードディスク、フラッシュメモリカード、ＵＳＢメモリカード等の外部記憶装置４４、液晶表示器４５、情報出力部となるＵＳＢポート４６，ＲＳ２３２Ｃポート４７、ＰＣカードスロット４８が接続されている。そして、外部記憶装置４４には、制御部４１で実行する図６に示す時刻設定処理を行う時刻設定処理プログラムが格納されている。
【００３６】
制御部４１では、外部記憶装置４４に記憶されている時刻設定処理プログラムを起動することにより、図６に示す時刻設定処理を実行する。この時刻設定処理は、先ず、ステップＳ３１で、液晶表示器４５に図７に示すメニュー画面を表示する。このメニュー画面は、プログラム名である「計器時刻設定プログラム」と、設定可能な電力量計１の種別を表す「低圧１０時間帯」、「低圧４時間帯」とを表示するとともに、時刻設定の開始を選択するための時刻設定領域Ａ１、時刻設定の終了を選択する終了領域Ａ２及び履歴表示を選択する履歴表示領域Ａ３が表示されている。
【００３７】
次いで、ステップＳ３２に移行して、メニュー画面中の時刻設定領域Ａ１がマウス、キーボード等の入力部４２でカーソルを移動させてマウスのクリックボタンのクリック又はキーボードの実行キーの押下によって選択されているか否かを判定し、時刻設定領域Ａ１が選択されているときにはステップＳ３３に移行する。
このステップＳ３３では、時計装置としての通信カードを介して携帯電話基地局にアクセスすることにより、携帯電話基地局で標準時刻に管理されている現在時刻データを受信する現在時刻情報取得処理を実行し、次いでステップＳ３４に移行して、現在時刻データが受信できたか否かを判定し、現在時刻データを受信できないときには、ステップＳ３５に移行して、液晶表示器４５に「現在時刻データ受信不可」のメッセージを表示してから時刻設定処理を終了する。
【００３８】
また、前記ステップＳ３４の判定結果が、現在時刻データを受信できた場合には、ステップＳ３６に移行して、受信した現在時刻データに基づいて内蔵時計部４１ａの現在時刻を補正してからステップＳ３７に移行する。
このステップＳ３７では、電力量計１に対する少なくとも現在時刻データを含む時刻変更電文を生成し、次いでステップＳ３８に移行して、生成した時刻変更電文をＵＳＢポート４６から送信し、次いでステップＳ３９に移行して、電力量計１から前述した設定時刻と識別コードを少なくとも含む時刻設定応答電文を所定時間内に受信したか否かを判定する。
【００３９】
この判定結果が、電力量計１からの時刻設定応答電文の受信がないときには、ステップＳ４０に移行して、液晶表示器４５に「電力量計応答なし」のメッセージを表示して時刻設定処理を終了する。
また、ステップＳ３９の判定結果が、電力量計１からの時刻設定応答電文の受信があったときには、ステップＳ４１に移行して、液晶表示器４５に「時刻設定正常終了」のメッセージを表示し、次いでステップＳ４２に移行して、電力量計１からの時刻設定応答電文に含まれる設定時刻及び識別コードを例えば外部記憶装置４４に形成された履歴記憶部に、例えば表計算ソフトを使用した履歴記憶処理によって記憶してから時刻設定処理を終了する。
【００４０】
一方、前記ステップＳ３２の判定結果が、メニュー画面の時刻設定領域Ａ１を選択していないときには、ステップＳ４３に移行して、履歴表示領域Ａ３がマウス又はキーボード等の入力部４２によって選択されているか否かを判定する。この判定結果が、履歴表示領域Ａ３が選択されているときにはステップＳ４４に移行して、履歴記憶部に表示されている時刻設定履歴を液晶表示器４５に表示してから前記ステップＳ３２に戻り、履歴表示領域Ａ３が選択されていないときにはステップＳ４５に移行する。
【００４１】
このステップＳ４５では、終了領域Ａ２がマウス又はキーボード等の入力部４２で選択されているか否かを判定し、終了領域Ａ２が選択されていないときには前記ステップＳ３２に戻り、終了領域Ａ２が選択されているときには時刻設定処理を終了する。
上記図６の時刻設定処理において、ステップＳ３２〜Ｓ３７の処理が時刻設定情報生成部に対応し、ステップＳ３８の処理及びＵＳＢポート４６が情報出力部に対応している。
【００４２】
情報変換器３６は、図８に示すように、ＵＳＢケーブル３４によって、情報処理端末３１のＵＳＢポート４６から直流電力が供給され、ＵＳＢ信号と非同期式シリアル信号（ＵＡＲＴ）とを相互に変換するＵＳＢ−ＵＡＲＴ変換器５１と、非同期式シリアル信号ＵＡＲＴとカレントループ通信方式の信号とを相互に変換するとともにフォトカプラ５２ｔ及び５２ｓで信号絶縁を行うカレントループ通信方式に対応するドライバ／レシーバ５２とを有する。
なお、前述した電力量計１の情報送受信端子ＤＴ及びＳＧと通信インタフェース部２６との間に、図８に示すように、フォトカプラ５３ｔ及び５３ｓと、受信バッファ５４ｓ及び送信バッファ５４ｔとが介装されて、信号絶縁を行うようにしている。
【００４３】
さらに、情報変換器３６と電力量計１の情報送受信端子ＤＴ及びＳＧ間を接続する接続具３７は、図９に示すように、情報変換器３６のステレオジャックに挿通されるステレオミニプラグ３７ａと、このステレオミニプラグ３７ａに接続された同軸ケーブル３７ｂと、この同軸ケーブル３７ｂの他端に接続された同軸ケーブルを２本の個別ケーブルに分岐する分岐器３７ｃと、この分岐器３７ｃの２系統の出力ジャック３７ｄに個別に接続されるプラグ３７ｅに接続された平行通信コード３７ｆと、この平行通信コード３７ｆの他端に接続された一対のプローブ３７ｇとで構成されている。ここで、一対のプローブ３７ｇは、絶縁把持部３７ｈと、この絶縁把持部３７ｈから突出するプローブ部３７ｉとで構成され、プローブ部３７ｉにスプリングが内装されて電力量計１の情報送受信端子ＤＴ及びＳＧに弾性接触可能に構成されている。
【００４４】
次に、上記第１の実施形態の動作を説明する。
今、電力量計１が未設置状態で、電力量計１の電源側配線部に所定の交流電力が印加されることなく倉庫等に節電状態に移行する所定時間（例えば２４０時間）以上保管されているものとする。この状態では、電力量計１の制御部２５で図４に示す電力量制御処理を実行しているが、電力量計１の電源側配線部に交流電力が印加されない停電状態となった時点で、ステップＳ１３からステップＳ１８に移行し、内蔵時計部２５ａを水晶振動子２４の発振周波数に同期させながら内蔵時計部２５ａの計時を継続する。
【００４５】
そして、停電状態となってから所定時間（例えば２４０時間）が経過した時点で、ステップＳ１９からステップＳ２０に移行して、液晶表示器１２を消灯させるとともに、内蔵時計部２５ａを初期値（例えば２００５年０１月０１日００時００分００秒）にリセットして、計時を停止させて、内蔵電池２２の消耗を極力抑制する節電状態となる。
この節電状態が電力量計１の電源側配線部に所定の交流電力が印加される状態となるまで継続される。
その後、需要家への設置が決まって、倉庫等の保管場所からの出荷が決まった時点で、電力量計１の内蔵時計部２５ａを現在時刻に設定する時刻設定を行う。
【００４６】
この時刻設定を行うには、先ず、電力量計１の電源側配線部に、図２に示すように、電力供給装置１３のクリップ１４ｅ及び１４ｆを装着し、この状態で、コンセント１４ａを商用交流電源に接続し、さらに電源スイッチ１５をオン状態とすることにより、トランス１７の出力端子ｔ１から１００Ｖの交流電力が出力され、出力端子ｔ２から２００Ｖの交流電力が出力される。そして、電圧選択スイッチ１８によって電力量計１に応じた交流電圧を選択する。
【００４７】
これによって、電力量計１の電源側配線部に、所定電圧の交流電力が印加されることになり、節電状態が解除されて、図４のステップＳ２１からステップＳ２に戻って、電力量の計測処理が開始される。この状態では、電力量計１の負荷側配線部１Ｌ〜３Ｌに負荷が接続されていないので、計量回路２１での電力量データは“０”を維持することになり電力量パルスは生成されず、時間帯別電力量加算処理は行われない。このため、液晶表示器１２に表示される電力量は“０”であり、内蔵時計部２５ａでは節電状態で初期値にリセットされていることから、初期値からの計時を開始し、初期値からの経過時刻が液晶表示器１２に表示される。
【００４８】
この状態で、又はその前に情報処理端末３１を起動して、時刻設定処理プログラムを起動させるとともに、カードスロットに通信カード３２を装着する。この時刻設定処理プログラムが起動すると、図６に示す時刻設定処理が実行されて、情報処理端末３１の液晶表示器４５に図７に示すメニュー画面が表示される（ステップＳ３１）。
そして、時刻設定処理装置２の接続具３７におけるプローブ３７ｇのプローブ部３７ｉのＤＴ側及びＳＧ側をそれぞれ電力量計１の情報送受信端子ＤＴ及びＳＧに押し付けた状態で、液晶表示器４５に表示されている時刻設定領域Ａ１内にカーソルをマウス又はキーボード等の入力部４２で移動させて、マウスをクリックするか又はキーボードの実行キーを押下することにより、時刻設定領域Ａ１を選択する。
【００４９】
これにより、図６の時刻設定処理で、ステップＳ３２からステップＳ３３に移行して、通信カード３２を介して携帯電話機の基地局にアクセスし、この基地局で保有している現在時刻データの送信要求を行って、基地局から正確な現在時刻データを取得する。このとき、基地局から現在時刻データを受信できた場合には、ステップＳ３４からステップＳ３６に移行して、受信した現在時刻データに基づいて情報処理端末３１の内蔵時計部４１ａを補正する。
【００５０】
次いで、補正した現在時刻データを含む時刻変更電文を生成して（ステップＳ３７）、この時刻変更電文をＵＳＢポート４６から送信する（ステップＳ３８）。
このＵＳＢポート４６には、ＵＳＢケーブル３４を介して情報変換器３６が接続されているので、この情報変換器３６で、ＵＳＢ信号が電力量計１の情報送受信端子ＤＴ，ＳＧで受信可能なカレントループ通信方式の信号に変換されるとともに、信号絶縁されて、電力量計１の情報送受信端子ＤＴ，ＳＧに供給される。
【００５１】
電力量計１では、情報送受信端子ＤＴ，ＳＧで時刻変更電文を受信すると、これが通信インタフェース部２６を介して制御部２５に読込まれる。このため、制御部２５で実行する図４の電力量制御処理で、ステップＳ１５からステップＳ１６に移行し、時刻変更電文に応じた時刻設定処理を行って、内蔵時計部２５ａを時刻変更電文に含まれる現在時刻データに設定する。
【００５２】
この現在時刻の設定が完了すると、設定された現在時刻データと電力量計１に予め設定された識別コードとを含む応答電文を生成し、生成した応答電文が通信インタフェース部２６を介して情報送受信端子ＤＴ，ＳＧに出力される。この応答電文は、情報変換器３６でカレントループ通信方式の信号からＵＳＢ信号に変換されて、ＵＳＢケーブル３４を介して情報処理端末３１のＵＳＢポート４６で受信される。
【００５３】
このため、制御部４１で実行する図６の時刻設定処理でステップＳ３９からステップＳ４１に移行して、液晶表示器４５の表示画面に「時刻設定正常終了」のメッセージを表示し、次いで受信した応答電文に含まれる時刻設定を行った時刻データと電力量計１に予め設定された識別コードとが対応付けられて例えば表計算ソフトを利用した作表処理によって時刻補正情報として外部記憶装置４４の履歴記憶部に記憶される。
【００５４】
そして、電力量計１の時刻設定が完了すると、プローブ３７ｇを電力量計１の情報送受信端子ＤＴ及びＳＧから取り外すとともに、電力供給装置１３の電源切替器１４における電源スイッチ１５をオフ状態としてからクリップ１４ｅ及び１４ｆを電力量計１の電源側配線部から取り外す。
この電源スイッチ１５のオフ状態によって、電力量計１への所定電圧の交流電圧の供給が遮断されるが、この状態から所定時間（例えば２４０時間）が経過するまでは、電力量計１が節電状態に移行することはないので、所定時間が経過するまでに、電力量計１を需要家に装着する。
【００５５】
なお、外部記憶装置４４の履歴記憶部に記憶されている時刻設定履歴を表示したい場合には、図７のメニュー画面で履歴表示領域Ａ３をマウス又はキーボードによって選択する。これにより、図６の時刻設定処理で、ステップＳ３２からステップＳ４３を経てステップＳ４４に移行して、外部記憶装置４４の履歴記憶部に記憶されている時刻設定履歴を液晶表示器４５に表示することができる。また、情報処理端末３１にプリンタを接続することにより、表示されている時刻設定履歴を印刷することができる。
【００５６】
また、時刻設定処理を終了するには、図７のメニュー画面で終了領域Ａ２をマウス又はキーボードによって選択することにより、図６の時計設定処理で、ステップＳ４３からステップＳ４５に移行して、時刻表示設定プログラムを終了する。
このように、上記第１の実施形態によると、倉庫等で保管することにより、供給電源を遮断した状態が、所定時間（例えば２４０時間）以上経過して節電状態となっている電力量計１に対して、電力供給装置１３で、所定の電圧の電力を供給して節電状態を解除し、この状態で、電力量計１の情報送受信端子ＤＴ，ＳＧにプローブ３７ｇを接触させて情報処理端末３１を接続することにより、時刻設定を行うことができる。
【００５７】
すわなち、情報処理端末３１で図６に示す時刻設定処理を実行させることにより、図１０に示すように、正確な現在時刻の送信を携帯電話機の基地局（時計装置）に要求して、基地局から現在時刻を取得し、取得した現在時刻で情報処理端末３１の内蔵時計部４１ａを補正し、現在時刻を含む時刻変更電文をＵＳＢポート４６及びＵＳＢケーブル３４を介して情報変換器３６に送信する。この情報変換器３６で、ＵＳＢ信号を電力量計１（計器）が使用するカレントループ方式の信号に変換して、電力量計１（計器）の情報送受信端子ＤＴ，ＳＧに供給することにより、電力量計１側で内蔵時計部２５ａを正確な現在時刻に設定し、その後時刻変更完了を表す応答電文を情報処理端末３１に送信することにより、時刻設定を完了する。
【００５８】
このとき、電力量計１には、前述した従来例のように、非接触型ＩＣカード読取・書込装置のような特別な通信装置を設ける必要がなく、既存の情報送受信端子ＤＴ，ＳＧを利用して時刻設定処理を行うことができ、コストを削減できるとともに、設置工事も単純化することができる。
しかも、情報変換器３６では、ＵＳＢ信号とカレントループ通信方式の信号とに相互に変換する際に、直流電力を必要とするが、この直流電力を、ＵＳＢケーブル３４を介して情報処理端末３１側から供給することができ、情報変換器３６に電池等の電源を用意する必要がない。
【００５９】
さらに、情報処理端末３１のカードスロットに携帯電話機の基地局と結ぶ通信カード３２を装着するだけで、基地局に保有されている正確な現在時刻データを瞬時に得ることができ、別途正確な時刻を計時する電波時計等の時計装置を設ける必要がない。
さらにまた、情報処理端末３１と電力量計１の情報送受信端子ＤＴ，ＳＧとの接続を情報処理端末３１のＵＳＢポート４６に接続された情報変換器３６に接続されるプローブ３７ｇを接触させるだけでよく、ねじ止め等の作業を必要としないので、時刻設定作業を迅速に行うことができる。しかも、プローブ３７ｇに弾性接触するプローブ部３７ｉを形成したので、情報送受信端子ＤＴ，ＳＧとの接触を確実に行うことができる。
【００６０】
なお、さらに情報処理端末３１には複数のＵＳＢポートを備えているので、ＵＳＢプラグ３３，３５を両端に接続したＵＳＢケーブル３４と、情報変換器３６及び接続具３７の組を複数組設けることにより、同時に複数台の電力量計１の時刻設定を行うことができる。この場合ＵＳＢ接続はＵＳＢハブを使用することにより理論的にＵＳＢ機器を１２７台までの接続が可能なので、１２７台までの電力量計１の時刻設定を同時に行うことが可能となる。
【００６１】
また、上記第１の実施形態においては、時刻情報源として携帯電話機の基地局で保有する現在時刻データを、通信カード３２を介して取得する場合について説明したが、これに限定されるものではなく、正確な時刻を計時する電波時計やＦＭ放送の時報で時刻を補正する時計装置を適用し、これらをＵＳＢポート４６又はＲＳ２３２Ｃポート４７に接続するようにしてもよい。
【００６２】
次に、本発明の第２の実施携帯を図１１及び図１２について説明する。
この第２の実施形態は、高圧の電力量計の時刻設定を行うようにしたものである。
すなわち、高圧の電力量計６０では、図１２に示すように、ＲＳ２３２Ｃ規格のシリアル通信方式を採用する情報送受信端子ＴＸＤ，ＲＸＤを備えている。このため、情報処理端末３１と情報送受信端子ＴＸＤ，ＲＸＤとの接続を、図１１に示すように、ＵＳＢ信号とＲＳ２３２Ｃ規格のシリアル通信方式の信号とを相互に変換する情報変換器６３が設けられ、この情報変換器６３のＵＳＢ側が両端にＵＳＢプラグ３３，３５を接続したＵＳＢケーブル３４を介して情報処理端末３１のＵＳＢポート４６に接続されている。また、情報変換器６３のＲＳ２３２Ｃ側がＲＳ２３２Ｃケーブル６４を介して電力量計６０の情報送受信端子ＴＸＤ，ＲＸＤに接続されている。
【００６３】
ここで、情報変換器６３は、図１２に示すように、前述した第１の実施形態におけるＵＳＢ−ＵＡＲＴ変換器５１と、ＲＳ２３２Ｃドライバ／レシーバ６５とで構成されている。また、電力量計６０側でのフォトカプラが省略されて受信バッファ５４ｓ及び送信バッファ５４ｔのみが設けられている。
さらに、この実施形態では、時刻情報源として電波時計６１又はＦＭ放送の時報で時刻を補正する時計装置６２が設けられ、これらが情報処理端末３１のＲＳ２３２Ｃポート４７又はＵＳＢポート４６に接続されている。
【００６４】
情報処理端末３１の制御部４１で実行する時刻設定処理はステップＳ３３で電波時計６１又は時計装置６２から現在時刻データを取得することを除いては前述した図６と同様の処理を行う。
この第２の実施形態によると、電力量計６０の情報送受信端子ＴＸＤ，ＲＸＤで送受信するデータがＲＳ２３２Ｃ規格のシリアル通信方式を採用しており、これに応じて情報変換器６３でＵＳＢ信号とＲＳ２３２Ｃ規格のシリアル通信方式の信号とを相互変換する構成とされていることを除いては前述した第１の実施形態と同様の構成を有するので、前述した第１の実施形態と同様の作用効果を得ることができる。
【００６５】
なお、上記第２の実施形態においては、時刻情報源として電波時計６１又はＦＭ放送の時報で時刻を補正する時計装置６２を適用した場合について説明したが、これに限定されるものではなく、前述した第１の実施形態のように携帯電話機の基地局にアクセス可能な通信カード３２を使用して現在時刻データを取得するようにしてもよい。
また、上記第２の実施形態においては、情報処理端末３１のＵＳＢポート４６と電力量計６０の情報送受信端子ＴＸＤ，ＲＸＤとの間に情報変換器６３を設けた場合について説明したが、これに限定されるものではなく、情報処理端末３１のＲＳ２３２Ｃポート４７と電力量計６０の情報送受信端子ＴＸＤ，ＲＸＤとの間を直接ＲＳ２３２Ｃケーブルで接続し、制御部４１の内部にＲＳ２３２Ｃ規格のシリアル通信データを生成する情報変換部を設けるようにしてもよい。
【００６６】
さらに、上記第１及び第２の実施形態においては、情報処理端末３１の制御部４１で、時刻設定処理を行う毎に、現在時刻データを取得する場合について説明したが、これに限定されるものではなく、情報処理端末３１の制御部４１で、定期的に時刻情報源から現在時刻を取得し、これによって情報処理端末３１の内蔵時計部４１ａを補正する時計補正処理を実行するようにし、図６の時刻補正処理でステップＳ３３及びＳ３４の処理を省略するようにしてもよい。
また、上記第１及び第２の実施形態においては、情報処理端末３１としてノート型パーソナルコンピュータを適用した場合について説明したが、これに限定されるものではなく、デスクトップ型パーソナルコンピュータや時刻設定専用の情報処理端末を適用することができる。
【符号の説明】
【００６７】
１…電力量計、２…時刻設定処理装置、１１…ケース本体、１２…液晶表示器、１３…電力供給装置、１５…電源スイッチ、１６…ヒューズ、１７…トランス、１８…電圧選択スイッチ、２１…計量回路、２２…内蔵電池、２３…電源・停電検出回路、２４…水晶振動子、２５…制御部、２６…通信インタフェース部、２７…データ記憶部、ＳＢ…設定ボタン、ＭＢ…記憶ボタン、３１…情報処理端末、３２…通信カード、３４…ＵＳＢケーブル、３６…情報変換器、３７…接続具、３７ｇ…プローブ、４１…制御部、４２…入力部、４３…内部記憶部、４４…外部記憶部、４５…液晶表示器、４６…ＵＳＢポート、４７…ＲＳ２３２Ｃポート、４８…カードスロット、６０…電力量計（高圧）、６１…電波時計、６２…時計装置、６３…情報変換器、６４…ＲＳ２３２Ｃケーブル
【図１】
0005437832.tif 000002
【図２】
0005437832.tif 000003
【図３】
0005437832.tif 000004
【図４】
0005437832.tif 000005
【図５】
0005437832.tif 000006
【図６】
0005437832.tif 000007
【図７】
0005437832.tif 000008
【図８】
0005437832.tif 000009
【図９】
0005437832.tif 000010
【図１０】
0005437832.tif 000011
【図１１】
0005437832.tif 000012
【図１２】
0005437832.tif 000013